(57)【要約】【課題】意識をせずにかつ装置単体で生体リズムに対する光治療を行うことができる作業テーブル用照明装置を提供する。【解決手段】基板３と天板６との間に、青色系の光を発光する第１発光パネル５Ａと、青色系以外の光を発光する第２発光パネル５Ｂとを配設する。昼間は第２発光パネル５Ｂを消灯させて第１発光パネル５Ａを点灯させ、夜間は第１発光パネル５Ａを消灯させて第２発光パネル５Ｂを点灯させるようにするとともに、第１発光パネル５Ａまたは第２発光パネル５Ｂが使用者に眩しさを感じさせない程度の輝度で発光するようにする。【選択図】図２
2008146919.tif 000002
【特許請求の範囲】
【請求項１】
作業テーブル上に載置される基板と、この基板上に配設され、分光分布において青色成分の波長領域内で発光強度が最大となる光を発光する第１発光パネルと、前記基板上に配設され、分光分布において青色成分の波長領域外で発光強度が最大となる光を発光する第２発光パネルと、第１発光パネルおよび第２発光パネルを上方から覆うように配設される透光性を有する天板と、昼間は第２発光パネルを消灯させて第１発光パネルを点灯させ、夜間は第１発光パネルを消灯させて第２発光パネルを点灯させるように、第１発光パネルまたは第２発光パネルへの給電を制御する制御部とを備え、
前記制御部は、第１発光パネルまたは第２発光パネルが使用者に眩しさを感じさせない程度の輝度で発光するように第１発光パネルまたは第２発光パネルへの給電を行うものであることを特徴とする作業テーブル用照明装置。
【請求項２】
前記青色成分の波長領域とは、４５０〜５００ｎｍの波長領域であることを特徴とする請求項１に記載の作業テーブル用照明装置。
【請求項３】
第１発光パネルと第２発光パネルは、前記基板上に、縦横に交互に並ぶように配設されていることを特徴とする請求項１または２に記載の作業テーブル用照明装置。
【請求項４】
前記基板は、柔軟性を有していることを特徴とする請求項１〜３のいずれか１項に記載の作業テーブル用照明装置。
【発明の詳細な説明】
【技術分野】
【０００１】
本発明は、作業テーブル用照明装置に関するものである。
【背景技術】
【０００２】
従来、例えば夜間に作業をする人に対して、昼間は蛍光灯等により白色光を照射し、夜間は特許文献１に記載されているような照明装置によって波長領域が４１０〜５０５ｎｍの分光成分を低減させた光を照射することにより、メラトニンの分泌をコントロールして生体リズムに対する光治療を行うことが知られている。
【０００３】
前記特許文献１の照明装置は、反射板で一方向に開口する筐体を形成し、その筐体内に光源を配設するとともに筐体の開口に４１０〜５０５ｎｍの波長領域の分光成分をカットするフィルタを配設した構成となっている。
【特許文献１】特開２００５−２３０１７１号公報
【発明の開示】
【発明が解決しようとする課題】
【０００４】
しかしながら、特許文献１の照明装置で光を人に照射すると、照射された人は眩しく感じることがある。そこで、人が眩しく感じることなく無意識のうちに光治療を行うことができるようにしたいという要望がある。また、この照明装置だけでは光治療を行うことはできないので、１台の照明装置で光治療を行えるようにしたいという要望もある。
【０００５】
例えば、照明装置を作業テーブル上に設置できるようにするとともに、照明装置上で使用者が作業できるようにすることが考えられる。このような作業テーブル用照明装置とすることができれば、見た目には照明装置を意識しなくてもよくなるが、これだけでは前記要望を全て満足することはできない。
【０００６】
なお、特開２０００−２７９５２２号公報には、作業テーブル上に設置されて、使用者がその上で作業をする照明装置が開示されているが、この照明装置は一定時間だけ高照度の光を照射する高照度光治療を行うためのものであり、生体リズムに対する光治療を行うものではない。
【０００７】
本発明は、このような要望に鑑み、使用者が意識をせずにかつ装置単体で生体リズムに対する光治療を受けることができる作業テーブル用照明装置を提供することを目的とする。
【課題を解決するための手段】
【０００８】
請求項１の発明は、作業テーブル上に載置される基板と、この基板上に配設され、分光分布において青色成分の波長領域内で発光強度が最大となる光を発光する第１発光パネルと、前記基板上に配設され、分光分布において青色成分の波長領域外で発光強度が最大となる光を発光する第２発光パネルと、第１発光パネルおよび第２発光パネルを上方から覆うように配設される透光性を有する天板と、昼間は第２発光パネルを消灯させて第１発光パネルを点灯させ、夜間は第１発光パネルを消灯させて第２発光パネルを点灯させるように、第１発光パネルまたは第２発光パネルへの給電を制御する制御部とを備え、前記制御部は、第１発光パネルまたは第２発光パネルが使用者に眩しさを感じさせない程度の輝度で発光するように第１発光パネルまたは第２発光パネルへの給電を行うものであることを特徴とする作業テーブル用照明装置である。
【０００９】
この構成によれば、作業テーブル上に載置される基板上に第１発光パネルおよび第２発光パネルを配設し、その上に天板を配設したから、使用者は天板上で作業しながら第１発光パネルおよび第２発光パネルから発光する光を浴びることができる。そして、昼間は、分光分布において青色成分の波長領域内で発光強度が最大となる光を発光する第１発光パネルを点灯させることによりメラトニンの分泌を抑制することができ、夜間は、分光分布において青色成分の波長領域外で発光強度が最大となる光を発光する第２発光パネルを点灯させることによりメラトニンの分泌を促進することができる。すなわち、制御部によって第１発光パネルと第２発光パネルの点灯を切り替えることにより、装置単体で生体リズムに対する光治療を行うことができる。しかも、第１発光パネルおよび第２発光パネルが使用者に眩しさを感じさせない程度の輝度で発光するようにしたから、使用者は天板上で作業しながら意識をせずに光治療を受けることができる。
【００１０】
例えば、請求項２の発明のように、前記青色成分の波長領域とは、４５０〜５００ｎｍの波長領域である構成とすることができる。
【００１１】
また、請求項３の発明のように、第１発光パネルと第２発光パネルは、前記基板上に、縦横に交互に並ぶように配設されていることが好ましい。
【００１２】
このようにすれば、第１発光パネルから発光する光と第２発光パネルから発光する光を均等に使用者に浴びせることができる。
【００１３】
また、請求項４の発明のように、前記基板は、柔軟性を有していることが好ましい。
【００１４】
このようにすれば、作業テーブルに凹凸がある場合でも、基板のがたつきを防止することができる。
【発明の効果】
【００１５】
以上説明したように、本発明によれば、使用者が意識をせずに光治療を受けることができる。
【発明を実施するための最良の形態】
【００１６】
以下、本発明を実施するための最良の形態について、図面を参照しながら詳細に説明する。
【００１７】
図１に示すように、本発明の一実施形態に係る作業テーブル用照明装置２は、作業テーブル１上に設置されるものである。作業テーブル１は、例えば机や食卓等であり、使用者はこの作業テーブル１上に設置された作業テーブル用照明装置２上に事務用品や食器等を置いてデスクワークや食事等の作業をする。
【００１８】
前記作業テーブル用照明装置２は、具体的には図２に示すように、作業テーブル１上に載置される長方形板状の基板３と、基板３上に配設される第１発光パネル５Ａおよび第２発光パネル５Ｂと、第１発光パネル５Ａおよび第２発光パネル５Ｂを上方から覆うように配設される天板６と、制御部７とを備えている。
【００１９】
なお、以下では、基板３の長手方向を左右方向または横方向、基板３の短手方向を前後方向または縦方向という。
【００２０】
前記基板３は、例えば塩化ビニルやポリプロピレン等の合成樹脂で構成されており、柔軟性を有している。
【００２１】
第１発光パネル５Ａおよび第２発光パネル５Ｂは、左右方向に延びる短冊状の形状をなしており、基板３上に、縦横に交互に並ぶようにマトリクス状（図例では、縦に６行、横に２列）に配設されている。
【００２２】
また、第１発光パネル５Ａの下面の左側寄りの位置には、左右一対の電極部５８が設けられ、第２発光パネル５Ｂの下面の右側寄りの位置には、左右一対の電極部５８が設けられている一方、基板３の上面には、前後方向に延びる左右一対の第１導電体４Ａおよび前後方向に延びる左右一対の第２導電体４Ｂが適所に設けられている。そして、第１発光パネル５Ａの電極部５８が第１導電体４Ａに電気的に接続され、第２発光パネル５Ｂの電極部５８が第２導電体４Ｂに電気的に接続されている。
【００２３】
前記天板６は、例えば厚さ２ｍｍのガラス板で構成され、透光性を有している。そして、この天板６は、平面視で基板３と略同じ大きさを有し、第１発光パネル５Ａおよび第２発光パネル５Ｂを挟んで基板３に接合されている。なお、天板６は、散光処理がなされたものであることが好ましい。このようにすれば、内部が見え難くなるとともに、第１発光パネル５Ａまたは第２発光パネル５Ｂが発光したときに天板６全体が光って見えるようになる。
【００２４】
第１発光パネル５Ａは、より詳しくは図３に示すように、支持基板５１と、この支持基板５１の裏面に積層された第１電極層５２、有機発光層５３および第２電極層５４からなる有機ＥＬ層と、この有機ＥＬ層を覆うための第１封止部材５５および第２封止部材５６とを備えている。
【００２５】
支持基板５１は、前記有機ＥＬ層を支持するための平板状の部材であり、有機発光層５３で発光する光の波長に対して透明な材料、例えばガラス等からなる。
【００２６】
第１電極層５２は、有機発光層５３で発光する光の波長に対して透明な材料からなる導電性の薄膜であり、陽極となる。第１電極層５２は、例えばＩＴＯ（Indium Tin Oxide）等で形成される。第１電極層５２は、その一部が支持基板５１の一方端側に第１封止部材５５から露出するように引き出されて陽極端子部５２１を形成している。
【００２７】
有機発光層５３は、青色の光を発光するものであり、蛍光物質の有機材料又は蛍光物質を含む有機材料からなる発光層を少なくとも含んで構成され、必要に応じて、正孔注入層、正孔輸送層、電子輸送層および電子注入層等を備える。より具体的には、第１電極層５２および第２電極層５４も記載すると、例えば以下の層構造である。
（１）（第１電極層５２；陽極）／発光層／（第２電極層５４；陰極）
（２）（第１電極層５２；陽極）／正孔輸送層／発光層／（第２電極層５４；陰極）
（３）（第１電極層５２；陽極）／発光層／電子輸送層／（第２電極層５４；陰極）
（４）（第１電極層５２；陽極）／正孔輸送層／発光層／電子輸送層／（第２電極層５４；陰極）
（５）（第１電極層５２；陽極）／正孔注入層／正孔輸送層／発光層／電子輸送層／電子注入層／（第２電極層５４；陰極）
【００２８】
第２電極層５４は、有機発光層５３で発光する波長の光を反射する材料からなる導電性の薄膜であり、陰極となる。第２電極層５４は、例えばアルミニウム（Ａｌ）、アルミリチウム（Ａｌ：Ｌｉ）およびマグネシウム銀（Ｍｇ：Ａｇ）等の金属や合金等で形成される。第２電極層５４は、その一部が支持基板５１の一方端側に対向する他方端側に第１封止部材５５から露出するように引き出されて陰極端子部５４１を形成している。
【００２９】
第１封止部材５５および第２封止部材５６は、前記有機ＥＬ層のうち陽極端子部５２１および陰極端子部５４１を除く部分を支持基板５１と協同して気密に封止するための絶縁性の部材である。例えば接着性を有する樹脂製の第１封止部材５５が、陽極端子部５２１を除く第１電極層５２、有機発光層５３および陰極端子部５４１を除く第２電極層５４を覆うように塗布され、例えばガラス製の板状部材からなる第２封止部材５６が、第１封止部材５５を介して第２電極層５４上に載せられて圧力が加えられることによって、第２封止部材５６が第１封止部材５５によって第２電極層５４に接着されると共に、第２封止部材５６の周縁部が第１封止部材５５によって支持基板５１に気密に接着して接合される。これによって第１封止部材５５および第２封止部材５６は、支持基板５１と協同して有機ＥＬ層のうち陽極端子部５２１および陰極端子部５４１を除く部分を気密に封止する。
【００３０】
また、第１発光パネル５Ａの下面を構成する第２封止部材５６の裏面には、上述した電極部５８が設けられており、この一対の電極部５８に陽極端子部３２１および陰極端子部３４１がそれぞれ配線材５７によって電気的に接続されている。
【００３１】
さらに、支持基板５１の表面には、蛍光体５９が設けられており、第１発光パネル５Ａは、図５に示すように、分光分布において青色成分の波長領域内で、すなわち４５０〜５００ｎｍの波長領域内で発光強度が最大となる光を発光する。
【００３２】
第２発光パネル５Ｂは、図示は省略するが、第１発光パネル５Ａの上面、すなわち蛍光体５９の上面に、４５０〜５００ｎｍの波長の光を効果的にカットするフィルタが貼着されたものであり、図６に示すように、分光分布において青色成分の波長領域外で、すなわち４５０〜５００ｎｍの波長領域外で発光強度が最大となる光を発光する。
【００３３】
前記制御部７は、配線材４７によって第１導電体４Ａおよび第２導電体４Ｂと接続されていて、第１発光パネル５Ａおよび第２発光パネル５Ｂの通電のオン・オフを切り替えできるようになっている。そして、制御部７は、昼間（例えば６時〜１７時の間）は第２発光パネル５Ｂを消灯させて第１発光パネル５Ａを点灯させ、夜間（例えば１７時〜翌日の６時の間）は第１発光パネル５Ａを消灯させて第２発光パネル５Ｂを点灯させるように、第１発光パネル５Ａまたは第２発光パネル５Ｂへの給電を制御する。これにより、作業テーブル用照明装置２から、昼間は青色系の光が照射され、夜間は青色系以外の赤色または黄色系の光が照射されるようになる。
【００３４】
さらに、制御部７は、第１発光パネル５Ａまたは第２発光パネル５Ｂが使用者に眩しさを感じさせない程度の輝度（例えば２５０ルクス以下）で発光するように第１発光パネル５Ａまたは第２発光パネル５Ｂへの給電を行う。これにより、作業テーブル用照明装置２は昼夜で天板６の見た目の色が変わる程度の照明になり、昼間は天板６が青色系に染まったように見えるようになり、夜間は天板６が青色系以外の赤色または黄色系に染まったように見えるようになる。
【００３５】
このように、本実施形態の作業テーブル用照明装置２では、作業テーブル１上に載置される基板３上に第１発光パネル５Ａおよび第２発光パネル５Ｂを配設し、その上に天板６を配設したから、使用者は天板６上で作業しながら第１発光パネル５Ａおよび第２発光パネル５Ｂから発光する光を浴びることができる。そして、昼間は、分光分布において青色成分の波長領域内で発光強度が最大となる光を発光する第１発光パネル５Ａを点灯させることによりメラトニンの分泌を抑制することができ、夜間は、分光分布において青色成分の波長領域外で発光強度が最大となる光を発光する第２発光パネル５Ｂを点灯させることによりメラトニンの分泌を促進することができる。すなわち、制御部７によって第１発光パネル５Ａと第２発光パネル５Ｂの点灯を切り替えることにより、装置単体で生体リズムに対する光治療を行うことができる。しかも、第１発光パネル５Ａおよび第２発光パネル５Ｂが使用者に眩しさを感じさせない程度の輝度で発光するようにしたから、使用者は天板６上で作業しながら意識をせずに光治療を受けることができる。
【００３６】
また、第１発光パネル５Ａと第２発光パネル５Ｂを、基板３上に、縦横に交互に並ぶように配設したから、第１発光パネル５Ａから発光する光と第２発光パネル５Ｂから発光する光を均等に使用者に浴びせることができる。
【００３７】
さえに、基板３は、柔軟性を有しているので、作業テーブル１に凹凸がある場合でも、基板３のがたつきを防止することができる。
【００３８】
なお、前記実施形態では、第１発光パネル５Ａにフィルタを貼着したものを第２発光パネル５Ｂとしたが、第２発光パネル５Ｂは、第１発光パネル５Ａの有機発光層５３を青色以外の例えば赤色や黄色等の暖色系の光を発光するような構成のものに変更したものであってもよい。例えば、第２発光パネル５Ｂが発光する光は、分光分布において６００〜７８０ｎｍの波長領域内で発光強度が最大となる光や、その波長領域内で高い発光強度を保ちつつ緑色成分（５５０〜６００ｎｍ）の波長領域内で発光強度が最大となる光であってもよい。
【図面の簡単な説明】
【００３９】
【図１】本発明の一実施形態に係る作業テーブル用照明装置と作業テーブルの斜視図である。
【図２】作業テーブル用照明装置の分解斜視図である。
【図３】第１発光パネルの下面図である。
【図４】図３のIV−IV線断面図である。
【図５】第１発光パネルの分光分布を示す図である。
【図６】第２発光パネルの分光分布を示す図である。
【符号の説明】
【００４０】
１    作業テーブル
２    作業テーブル用照明装置
３    基板
４Ａ，４Ｂ  給電体
５Ａ  第１発光パネル
５Ｂ  第２発光パネル
５８  電極部
６    天板
７    制御部
【図１】
2008146919.tif 000003
【図２】
2008146919.tif 000004
【図３】
2008146919.tif 000005
【図４】
2008146919.tif 000006
【図５】
2008146919.tif 000007
【図６】
2008146919.tif 000008